(57)【特許請求の範囲】
【請求項１】
冷凍冷蔵庫本体の冷蔵室又は冷凍室の扉の縁部を形成するサッシレス式の扉用キャップの内側に内板取付用縦壁を一体的に形成し、前記縁部の扉用キャップの内側に、冷蔵室又は冷凍室の前面開口縁部に設けられたドアスイッチを動作させるスイッチ用マグネットを収納するマグネット収納凹部を形成し、前記内板取付用縦壁にはそのマグネット収納凹部を覆っている位置にマグネット案内溝を設け、該マグネット案内溝にマグネット収納凹部に収納されたリードスイッチ用マグネットを固定すると共にマグネット案内溝を閉鎖するマグネット押えを係合させ、前記扉用キャップの内側以外の部分にドアパネルを取り付け、前記扉用キャップの内側にサッシレス式の扉内板を前記内板取付用縦壁に乗せて取り付け、発砲断熱材が注入できる扉組立体を構成するようにしたことを特徴とする冷凍冷蔵庫。
【請求項２】
冷凍冷蔵庫本体の冷蔵室又は冷凍室の扉の縁部を形成するサッシレス式の扉用キャップと、該扉用キャップの内側に形成される内板取付用縦壁と、前記縁部の扉用キャップの内側に形成され、冷蔵室又は冷凍室の前面開口縁部に設けられたドアスイッチを動作させるスイッチ用マグネットを収納するマグネット収納凹部と、該マグネット収納凹部に収納されるスイッチ用マグネットとを一体成形し、前記扉用キャップの内側以外の部分にドアパネルを取り付け、前記扉用キャップの内側にサッシレス式の扉内板を前記内板取付用縦壁に乗せて取り付け、発砲断熱材が注入できる扉組立体を構成するようにしたことを特徴とする冷凍冷蔵庫。
【発明の詳細な説明】
【０００１】
【発明の属する技術分野】
本発明は冷凍冷蔵庫、特に冷凍冷蔵庫のサッシレス式の扉に設けられるドアスイッチ用マグネットの固定に関するものである。
【０００２】
【従来の技術】
図７は従来の冷凍冷蔵庫の冷蔵室扉の開放状態を示す斜視図、図８は同冷凍冷蔵庫の冷蔵室扉の要部分解状態を示す組立図、図９は図８のＣ−Ｃ線断面図、図１０は同冷凍冷蔵庫の上部冷凍室扉の要部断面図である。
図において、１は冷凍冷蔵庫本体で、上から順に冷蔵室２、上部冷凍室３、下部冷凍室４及び野菜室５を備えて形成されている。６は冷蔵室２の扉、７は上部冷凍室３の扉、８は下部冷凍室４の扉、９は野菜室５の扉である。
【０００３】
冷蔵室２の扉６の下縁のサッシ式の扉用キャップ１０の内側には、冷蔵室２に設けられたドアスイッチであるリードスイッチ１１を動作させるリードスイッチ用マグネット１２を包装したマグネット押さえ組成体１３が形成されており、上部冷凍室３の扉７の上縁のサッシ式の扉用キャップ１０の内側にも、上部冷凍室３に設けられたリードスイッチ１１を動作させるリードスイッチ用マグネット１２を包装したマグネット押さえ組成体１３が形成されている。
このマグネット押さえ組成体１３は扉用キャップ１０の内側に形成されたマグネット収納凹部１０ａとリードスイッチ用マグネット１２を仮止めするシーリングテープ１５と扉用キャップ１０の内側に取り付けられた扉ガスケット固定用のサッシ１７とによって構成される。また、リードスイッチ１１は冷蔵室２又は上部冷凍室３の室内のランプや冷気循環用ファンをオン・オフさせるためのものである。
【０００４】
リードスイッチ用マグネット１２の冷蔵室２の扉用キャップ１０への取り付けは、まず図８に示すように扉用キャップ１０に形成されたマグネット収納凹部１０ａにリードスイッチ用マグネット１２を収納し、その後シーリングテープ１５の接着面をそのリードスイッチ用マグネット１２及び扉用キャップ１０の表面に接着し、シーリングテープ１５によりリードスイッチ用マグネット１２を扉用キャップ１０に仮固定し、しかる後に図９に示すようにドアパネル１６を扉用キャップ１０の内側以外の部分に装着し、ドアパネル１６が装着された扉用キャップ１０の内側に取り付けられた扉ガスケット固定用のサッシ１７によって保持固定することによって行われていた。
【０００５】
このように扉用キャップ１０に取り付けられたサッシ１７にその所定位置にサッシ式扉内板１８を嵌合させて取り付けることによって扉組立体１９が構成される。このようにして構成された扉組立体１９内に発泡断熱材２０を注入して発泡させ、その後サッシ式ガスケット２１をサッシ１７に嵌着させて冷蔵室２の扉６が完成する。
なお、図１０に示す上部冷凍室３の扉７も、冷蔵室２の扉６と同様に前述した手順で完成される。
【０００６】
【発明が解決しようとする課題】
以上のように構成された従来の冷凍冷蔵庫の扉はサッシ式の構造であるため、冷凍冷蔵庫本体１が冷蔵室２、上部冷凍室３、下部冷凍室４及び野菜室５を備え、冷蔵室２の扉６、上部冷凍室３の扉７、下部冷凍室４の扉８及び野菜室５の扉９というように４つの扉を有している場合、１つの扉に４つのサッシ１７が必要であるため、４×４で１６のサッシ１７が必要であると共に、リードスイッチ用マグネット１２の仮止め用のシーリングテープ１５も４枚必要であり、多くの部品点数と工数が必要なために原価高となっていた。
【０００７】
また、シーリングテープ１５によるリードスイッチ用マグネット１２の仮止めした後に、扉用キャップ１０とリードスイッチ用マグネット１２を保持固定するサッシ１７とサッシ式扉内板１８とで構成される扉組立体１９内に発泡断熱材２０を注入して発泡させる場合に、シーリングテープ１５は仮止めとして用いられるものであり、簡単に貼り付けることができるが剥がれ易く、サッシ９にソリがあるために、シーリングテープ１５が剥がれたときに生じるサッシ９とリードスイッチ用マグネット１２との隙間から発泡断熱材２０が洩れるおそれがあり、そのため品質上不安定であるという問題点があった。
【０００８】
本発明は、以上のような問題点を解決するためになされたもので、部品点数を減少させると共に工数も減少させて大幅にコストダウンを図り、しかも発泡断熱材の漏れの低減を図ることができる冷凍冷蔵庫を得ることを目的とするものである。
【０００９】
【課題を解決するための手段】
本発明に係る冷凍冷蔵庫は、冷凍冷蔵庫本体の冷蔵室又は冷凍室の扉の縁部を形成するサッシレス式の扉用キャップの内側に内板取付用縦壁を一体的に形成し、前記縁部の扉用キャップの内側に、冷蔵室又は冷凍室の前面開口縁部に設けられたドアスイッチを動作させるスイッチ用マグネットを収納するマグネット収納凹部を形成し、前記内板取付用縦壁にはそのマグネット収納凹部を覆っている位置にマグネット案内溝を設け、該マグネット案内溝にマグネット収納凹部に収納されたリードスイッチ用マグネットを固定すると共にマグネット案内溝を閉鎖するマグネット押えを係合させ、前記扉用キャップの内側以外の部分にドアパネルを取り付け、前記扉用キャップの内側にサッシレス式の扉内板を前記内板取付用縦壁に乗せて取り付け、発砲断熱材が注入できる扉組立体を構成するようにしたものである。
【００１０】
また、本発明に係るもう１つの冷凍冷蔵庫は、冷凍冷蔵庫本体の冷蔵室又は冷凍室の扉の縁部を形成するサッシレス式の扉用キャップと、該扉用キャップの内側に形成される内板取付用縦壁と、前記縁部の扉用キャップの内側に形成され、冷蔵室又は冷凍室の前面開口縁部に設けられたドアスイッチを動作させるスイッチ用マグネットを収納するマグネット収納凹部と、該マグネット収納凹部に収納されるスイッチ用マグネットとを一体成形し、前記扉用キャップの内側以外の部分にドアパネルを取り付け、前記扉用キャップの内側にサッシレス式の扉内板を前記内板取付用縦壁に乗せて取り付け、発砲断熱材が注入できる扉組立体を構成するようにしたものである。
【００１１】
【発明の実施の形態】
実施の形態１．
図１は本発明の実施の形態１による冷凍冷蔵庫の冷蔵室の扉の要部を示す断面図、図２は同冷凍冷蔵庫の冷蔵室の扉の要部分解状態を示す組立図、図３は同冷凍冷蔵庫の冷蔵室扉の開放状態を示す斜視図、図４は同冷凍冷蔵庫の上部冷凍室扉の要部断面図である。
図において、従来例と同一の構成は同一符号を付して重複した構成の説明を省略する。２５はこの実施の形態１の冷蔵室２の扉６又は上部冷凍室３の扉７のサッシレス式の扉用キャップ、２５ａは扉用キャップ２５に形成されたマグネット収納凹部、２６は扉用キャップ２５の表面に一体的に立設された内板取付用縦壁である。
【００１２】
２７は内板取付用縦壁２６にそのマグネット収納凹部２５ａ上方位置を切り欠いて形成されたマグネット案内溝、２７ａはマグネット案内溝２７に相対向して設けられた一対のマグネット押え係合片、２８は断面Ｌ字状のマグネット押えで、水平なマグネット押え片２８ａと垂直な壁取付片２８ｂとからなり、壁取付片２８ｂの両端部にマグネット押え係合片２７ａと係合する係合溝２８ｃが設けられている。２９は扉用キャップ２５の下縁又は上縁に形成されるマグネット押え組成体で、マグネット収納凹部２５ａとマグネット案内溝２６とマグネット押え２８とで構成されている。
３０は雇用キャップ２５に取り付けられるサッシレス式の扉内板、３１はサッシレス式の扉内板３０に形成された従来のサッシ９と同じ働きを有する溝、３２は溝３１に嵌め込まれるサッシレス式のガスケットである。
【００１３】
次に、リードスイッチ用マグネット１２の冷蔵室２又は上部冷凍室３の扉用キャップ１０への取り付けについて説明する。
まず、扉用キャップ２５のマグネット収納凹部２５ａにリードスイッチ用マグネット７を埋め込み、しかる後にマグネット押え２８を用いてリードスイッチ用マグネット７の固定を行う。
即ち、マグネット押え２８の壁取付片２８ｂの両端部に各々設けられた係合溝２８ｃを内板取付用縦壁２６のマグネット案内溝２７に相対向して設けられた一対のマグネット押え係合片にそれぞれ係合させる。そうすると、マグネット押え２８の水平なマグネット押さえ片２８ａがマグネット収納凹部２５ａ内のリードスイッチ用マグネット７を押え固定し、マグネット押え２８の壁取付片２８ｂの外側面が扉用キャップ２５の内板取付用縦壁２６と面一になるように内板取付用縦壁２６のマグネット案内溝２７が閉鎖される。
【００１４】
そこで、ドアパネル１６を扉用キャップ２５の内側以外の部分に装着し、ドアパネル１６が装着された扉用キャップ２５の内側にサッシレス式の扉内板３０を、マグネット案内溝２７がマグネット押え２８で閉鎖された内板取付用縦壁２６に乗せて取り付けることにより、ドアパネル１６と扉用キャップ２５とマグネット案内溝２７がマグネット押え２８で閉鎖される内板取付用縦壁２６とサッシレス式の扉案内板３０とで構成される扉組立体３３内に発泡断熱材２０を注入して発泡させ、その後ガスケット３２を扉内板３０の溝３１に嵌着させて冷蔵室２の扉６が完成する。
なお、図４に示す上部冷凍室３の扉７も、冷蔵室２の扉６と同様に前述した手順で完成される。
【００１５】
このように、サッシレス式の扉用キャップ２５にサッシに代わる内板取付用縦壁２６を一体的に形成し、その内板取付用縦壁２６のマグネット収納凹部２５ａを覆っている部分にマグネット案内溝２７を設け、そのマグネット案内溝２７に係合するマグネット押え２８でマグネット収納凹部２５ａ内のスイッチ用マグネット１２を押さえると共に内板取付用縦壁２６と面一になるようにそのマグネット案内溝２７を閉鎖するので、サッシレス式の扉用キャップ２５の内側に一体的に形成された内板取付用縦壁２６が従来のサッシに代わり、従来のサッシが廃止されるため、部品点数が大幅に削減でき、工数も大きく低減でき大幅にコストダウンを図ることができ、また発泡断熱材１２を注入してもマグネット押え組成体１３の内板取付用縦壁２６から発泡断熱材１２の洩れは発生しないため、従来のシーリングのときに生じていた発泡断熱材の洩れが確実に防止できる。
【００１６】
なお、図４に示す上部冷凍室３の扉７のように、サッシレス式ガスケット３２の取付位置が異なるタイプの扉の場合は、内板取付用縦壁２６とマグネット押えで２８の垂直な壁取付片２８ｂの高さを変えることで対処することができる。
【００１７】
実施の形態２．
図５は本発明の実施の形態２による冷凍冷蔵庫の上部冷凍室扉の要部を示す組立図、図６は図５のＢ−Ｂ断面図である。
この実施の形態２は、実施の形態１におけるサッシレス式扉用キャップ２５に対してマグネット収納凹部２５ａや内板取付用縦壁２６ばかりでなく、スイッチ用マグネット１２も一体的に成形し、マグネット案内溝２７とそれに係合するマグネット押え２８をなくしたものである。
従って、発泡断熱材の洩れの防止が確実に行われると共に、リードスイッチ用マグネット１２の取付の後のマグネット案内溝２７の加工やマグネット案内溝２７へのマグネット押え２８の取り付けを廃止することで、部品点数や工数が大幅に削減されて大幅なコストダウンを図ることができる。また、この一体成形は、扉にリード線、制御基板等が設けられている場合ついても応用することができることはいうまでもない。
【００１８】
【発明の効果】
以上説明したように、本願の請求項１の発明によれば、冷凍冷蔵庫本体の冷蔵室又は冷凍室の扉の縁部を形成するサッシレス式の扉用キャップの内側に内板取付用縦壁を一体的に形成し、前記縁部の扉用キャップの内側に、冷蔵室又は冷凍室の前面開口縁部に設けられたドアスイッチを動作させるスイッチ用マグネットを収納するマグネット収納凹部を形成し、前記内板取付用縦壁にはそのマグネット収納凹部を覆っている位置にマグネット案内溝を設け、該マグネット案内溝にマグネット収納凹部に収納されたリードスイッチ用マグネットを固定すると共にマグネット案内溝を閉鎖するマグネット押えを係合させ、サッシ式の扉用キャップの内側以外の部分にドアパネルを取り付け、サッシレス式の扉用キャップの内側にサッシレス式の扉内板を前記内板取付用縦壁に乗せて取り付け、発泡断熱材が注入できる扉組立体を構成するようにしたので、サッシレス式の雇用キャップの内側に一体的に形成された内板取付用縦壁が従来のサッシに代わり、従来のサッシが廃止されたため、部品点数が大幅に削減でき、工数も大きく低減でき大幅にコストダウンを図ることができ、また内板取付用縦壁のマグネット収納凹部を覆っている部分に設けられたマグネット案内溝に係合するマグネット押えがマグネット収納凹部内のスイッチ用マグネットを押え固定すると共に内板取付用縦壁のマグネット案内溝を閉鎖するので、発砲断熱材を注入してもマグネット押え組立体から発泡断熱材の漏れは発生しないため、従来のシーリングテープのときに生じていた発泡断熱材のもれも確実に防止できるという効果がある。
【００１９】
本願の請求項２の発明によれば、冷凍冷蔵庫本体の冷蔵室又は冷凍室の扉の縁部を形成するサッシレス式の扉用キャップと、該扉用キャップの内側に形成される内板取付用縦壁と、前記縁部の扉用キャップの内側に形成され、冷蔵室又は冷凍室の前面開口縁部に設けられたドアスイッチを動作させるスイッチ用マグネットを収納するマグネット収納凹部と、該マグネット収納凹部に収納されるスイッチ用マグネットとを一体成形し、サッシ式の扉用キャップの内側以外の部分にドアパネルを取り付け、サッシ式の扉用キャップの内側にサッシレス式の扉内板を前記内板取付用縦壁に乗せて取り付け、発砲断熱材が注入できる扉組立体を構成するようにしたので、発泡断熱材の漏れの防止が確実に行われると共に、マグネット押えが不要となり、部品点数や工数が大幅に削減されて大幅なコストダウンを図ることができるという効果がある。
【図面の簡単な説明】
【図１】本発明の実施形態１による冷凍冷蔵庫の冷蔵室の扉の要部を示す断面図である。
【図２】同冷凍冷蔵庫の冷蔵室の扉の要部分解状態を示す組立図である。
【図３】同冷凍冷蔵庫の冷蔵室扉の開放状態を示す斜視図である。
【図４】同冷凍冷蔵庫の上部冷凍室扉の要部断面図である。
【図５】本発明の実施の形態２による冷凍冷蔵庫の上部冷凍室扉の要部を示す組立図である。
【図６】図５のＢ−Ｂ断面図である。
【図７】従来の冷凍冷蔵庫の冷蔵室扉の開放状態を示す斜視図である。
【図８】同冷凍冷蔵庫の冷蔵室扉の要部組立図である。
【図９】図８のＣ−Ｃ断面図である。
【図１０】同冷凍冷蔵庫の上部冷凍室扉の要部断面図である。
【符号の説明】
６  冷蔵室の扉、１２  リードスイッチ用マグネット、  １６  ドアパネル、２０  発泡断熱材、２５  サッシ式扉用キャップ、２５ａ  マグネット収納凹部、２６  内板取付用壁、２７  マグネット案内溝、２８  マグネット押え、３０
サッシレス式の扉内板、３３  扉組立体。
【図１】
0003546345.tif 000002
【図２】
0003546345.tif 000003
【図３】
0003546345.tif 000004
【図４】
0003546345.tif 000005
【図５】
0003546345.tif 000006
【図６】
0003546345.tif 000007
【図７】
0003546345.tif 000008
【図８】
0003546345.tif 000009
【図９】
0003546345.tif 000010
【図１０】
0003546345.tif 000011